(57)【要約】【課題】適切なタイミングで音声を出力して設定項目の設定状態を報知することにより、画像処理のミスを低減させることが可能な画像処理装置を提供する。【解決手段】実行キー１５が操作されたと判定した場合、識別情報受信部１７により、複写機（画像処理装置）に近接するユーザが携帯している無線通信装置から送信される識別情報を受信し、受信した識別情報と、予めＲＡＭ１３のユーザ記憶領域１３ｂに記憶されている識別情報とが一致するか否かを判定する。この判定後、設定状態記憶領域１３ａに記憶されている設定状態は、初期設定状態記憶領域１２ｂに記憶されている初期設定状態と一致するか否かを判定する。これらの判定結果に基づき、複写、又は、音声出力部１８による設定状態を報知する音声の出力を行う。【選択図】        図１
2004159104.tif 000002
【特許請求の範囲】
【請求項１】
画像処理を行うための１又は複数の設定項目の初期設定状態を記憶し、各設定項目毎の設定状態を第１操作手段により設定され、設定された設定状態に基づいて画像処理を行う画像処理装置において、
前記第１操作手段により設定された設定状態を記憶する手段と、
画像処理を実行させる指示を行う第２操作手段と、
操作者を識別する操作者識別手段と、
前記第２操作手段が操作されたか否かを判定する第１判定手段と、
該第１判定手段により操作されたと判定した場合に、前記操作者識別手段による識別結果に基づいて、前記第１操作手段を操作した操作者と前記第２操作手段を操作した操作者とが同じであるか否かを判定する第２判定手段と、
前記記憶した設定状態と前記初期設定状態とが同じであるか否かを判定する第３判定手段と、
前記第２判定手段による判定結果及び前記第３判定手段による判定結果に基づいて、警告音又は音声により設定状態を報知する報知手段と
を備えることを特徴とする画像処理装置。
【請求項２】
前記第２判定手段により、操作者が異なると判定した場合であって、前記第３判定手段により、前記記憶した設定状態と前記初期設定状態とが異なると判定したとき、前記報知手段により前記設定状態を報知するように構成してあることを特徴とする請求項１に記載の画像処理装置。
【請求項３】
前記第２判定手段により、操作者が同じであると判定した場合であって、前記第３判定手段により、前記記憶した設定状態と前記初期設定状態とが同じであると判定したとき、前記報知手段により初期設定状態である旨を報知するように構成してあることを特徴とする請求項１に記載の画像処理装置。
【請求項４】
前記報知手段による報知後、前記第１判定手段により、画像処理の実行を指示すべく前記第２操作手段が再度操作されたか否かを判定するように構成してあること
を特徴とする請求項１乃至３の何れかに記載の画像処理装置。
【請求項５】
前記第２操作手段は押下可能なキーであり、
該キーに近接する操作者の存在、又は、該キーに操作者が接触していることを検知するキーセンサを備え、
該キーセンサによる検知結果に基づいて、前記報知手段により報知するように構成してあること
を特徴とする請求項１乃至４の何れかに記載の画像処理装置。
【請求項６】
前記キーセンサが検知を開始してからの時間を計測する計時手段と、
該計時手段による計測時間が所定時間以上であるか否かを判定する手段とを備え、
該判定する手段により、計測時間が所定時間以上であると判定した場合、前記報知手段により報知するように構成してあること
を特徴とする請求項５に記載の画像処理装置。
【請求項７】
前記操作者識別手段は、自装置に近接する操作者の存在を検知する検知センサであり、
該検知センサが、操作者の存在を検知した後に操作者の存在を検知せず、再度操作者の存在を検知することにより、存在を検知した各操作者は異なる操作者として識別するように構成してあること
を特徴とする請求項１乃至６の何れかに記載の画像処理装置。
【請求項８】
前記操作者識別手段は、無線通信装置から送信される該無線通信装置を特定する識別情報を受信する手段であり、
前記第２判定手段は、前記受信した識別情報に基づいて判定するように構成してあること
を特徴とする請求項１乃至６の何れかに記載の画像処理装置。
【発明の詳細な説明】
【０００１】
【発明の属する技術分野】
本発明は、設定された各設定項目の設定状態に基づいて画像処理を行う画像処理装置に関する。
【０００２】
【従来の技術】
画像処理装置である複写機において、複写枚数、複写濃度等の各設定項目の設定状態をユーザに報知する場合、その複写機が備える表示パネルに、設定状態に対応する文字又は図を表示するものが普及している。また、複写機の設定状態及び各設定項目の設定方法を音声にて報知するものもある。
このような複写機において、複写機に近接するユーザの存在を検知する人体検知センサ、及び、人体検知センサによりユーザの存在を検知してからの時間を計測するタイマを備えることにより、ユーザが所定時間以上複写機に近接している場合に、設定状態を音声にて報知するものが開示されている（例えば、特許文献１参照。）。
【０００３】
【特許文献１】
特開平４−２４８５３７号公報
【０００４】
【発明が解決しようとする課題】
上述した人体検知センサ及びタイマを備える複写機においては、ユーザが複写機に接近してから所定時間が経過するまで、設定状態を報知する音声は出力されない。しかしながら、タイマの計測時間に基づいて音声による報知を行うのでは、ユーザによって複写を実行するまでの時間が異なるため、ユーザが求めているタイミングで報知することが難しい。このように適切なタイミングで設定状態が報知されない場合には、次のような問題が発生する可能性がある。すなわち、複写機が初期設定状態ではなく、以前に使用したユーザによって設定された設定状態のままであることに、次に使用するユーザが気付かない場合には、その設定状態で複写を実行してしまうことにより、複写ミスが発生する。
【０００５】
本発明は斯かる事情に鑑みてなされたものであって、その目的とするところは、適切なタイミングで音声を出力して設定項目の設定状態を報知することにより、画像処理のミスを低減させることが可能な画像処理装置を提供することにある。
【０００６】
【課題を解決するための手段】
本発明に係る画像処理装置は、画像処理を行うための１又は複数の設定項目の初期設定状態を記憶し、各設定項目毎の設定状態を第１操作手段により設定され、設定された設定状態に基づいて画像処理を行う画像処理装置において、前記第１操作手段により設定された設定状態を記憶する手段と、画像処理を実行させる指示を行う第２操作手段と、操作者を識別する操作者識別手段と、前記第２操作手段が操作されたか否かを判定する第１判定手段と、該第１判定手段により操作されたと判定した場合に、前記操作者識別手段による識別結果に基づいて、前記第１操作手段を操作した操作者と前記第２操作手段を操作した操作者とが同じであるか否かを判定する第２判定手段と、前記記憶した設定状態と前記初期設定状態とが同じであるか否かを判定する第３判定手段と、前記第２判定手段による判定結果及び前記第３判定手段による判定結果に基づいて、警告音又は音声により設定状態を報知する報知手段とを備えることを特徴とする。
【０００７】
本発明においては、設定項目の設定状態を設定すべく第１操作手段を操作した操作者と画像処理を実行させる指示を行うべく第２操作手段を操作した操作者とが同じであるか、及び、記憶した設定状態と前記初期設定状態とが同じであるかの判定結果に基づき、設定状態を報知する必要がある場合にのみ、設定状態を警告音又は音声により報知することができる。
【０００８】
また、本発明に係る画像処理装置は、前記第２判定手段により、操作者が異なると判定した場合であって、前記第３判定手段により、前記記憶した設定状態と前記初期設定状態とが異なると判定したとき、前記報知手段により前記設定状態を報知するように構成してあることを特徴とする。
【０００９】
本発明においては、前のユーザにより設定された設定状態のままで次のユーザが画像処理を実行しようとした場合、その設定状態を警告音又は音声によって報知することにより、誤った設定状態で無駄に画像処理が行われることを未然に防止することが可能である。
【００１０】
また、本発明に係る画像処理装置は、前記第２判定手段により、操作者が同じであると判定した場合であって、前記第３判定手段により、前記記憶した設定状態と前記初期設定状態とが同じであると判定したとき、前記報知手段により初期設定状態である旨を報知するように構成してあることを特徴とする。
【００１１】
本発明においては、ユーザが設定項目の設定状態を設定してから所定時間が経過すると初期設定状態に戻るようになっている場合に、初期設定状態に戻っている旨を警告音又は音声によって報知することにより、誤った設定状態において無駄に画像処理が行われることを未然に防止することができる。
【００１２】
また、本発明に係る画像処理装置は、前記報知手段による報知後、前記第１判定手段により、画像処理の実行を指示すべく前記第２操作手段が再度操作されたか否かを判定するように構成してあることを特徴とする。
【００１３】
本発明においては、設定状態を報知後に、前記第２操作手段が再度操作されたと判定してから画像処理を行うようにすることにより、誤った設定状態において不要な画像処理を行うことを未然に防ぐことが可能である。
【００１４】
また、本発明に係る画像処理装置は、前記第２操作手段は押下可能なキーであり、該キーに近接する操作者の存在、又は、該キーに操作者が接触していることを検知するキーセンサを備え、該キーセンサによる検知結果に基づいて、前記報知手段により報知するように構成してあることを特徴とする。
【００１５】
本発明においては、ユーザが、画像処理を実行させる指示を行うキーを押下する前に該キーに近接する、又は該キーに接触することにより、設定状態を音声によって報知することができるので、ユーザは設定状態を確認してから画像処理を実行することができる。
【００１６】
また、本発明に係る画像処理装置は、前記キーセンサが検知を開始してからの時間を計測する計時手段と、該計時手段による計測時間が所定時間以上であるか否かを判定する手段とを備え、該判定する手段により、計測時間が所定時間以上であると判定した場合、前記報知手段により報知するように構成してあることを特徴とする。
【００１７】
本発明においては、ユーザが設定状態を確認すべく、キーに所定時間近接又は接触した場合にのみ、設定状態を音声により報知するために、不要な音声の出力を行わないようにすることができる。
【００１８】
また、本発明に係る画像処理装置は、前記操作者識別手段は、自装置に近接する操作者の存在を検知する検知センサであり、該検知センサが、操作者の存在を検知した後に操作者の存在を検知せず、再度操作者の存在を検知することにより、存在を検知した各操作者は異なる操作者として識別するように構成してあることを特徴とする。
【００１９】
本発明においては、自装置に近接するユーザの存在を検知することによって、ユーザの識別を行うことができるので、ユーザが自身を識別させるための情報を入力したり、識別させるためのものを携帯したりする必要が無い。
【００２０】
さらに、本発明に係る画像処理装置は、前記操作者識別手段は、無線通信装置から送信される該無線通信装置を特定する識別情報を受信する手段であり、前記第２判定手段は、前記受信した識別情報に基づいて判定するように構成してあることを特徴とする。
【００２１】
本発明においては、ユーザが携帯する無線通信装置から送信される無線通信装置を特定する識別情報を受信することにより、その識別情報に基づいてユーザを識別するので、ユーザの識別を簡単かつほぼ正確に行うことができる。
【００２２】
【発明の実施の形態】
以下、本発明をその実施の形態を示す図面に基づいて説明する。
実施の形態１
図１は本発明に係る画像処理装置としての複写機の要部構成を示すブロック図である。
この複写機は、制御部１１、ＲＯＭ１２、ＲＡＭ１３、設定キー１４、実行キー１５、実行キーセンサ１６、識別情報受信部１７、音声出力部１８、表示部１９、第１タイマ２０、第２タイマ２１、プリンタ２２、スキャナ２３等を備えている。
【００２３】
制御部１１は、ＣＰＵで構成されており、バスを介して複写機の上述したハードウェアと接続されていて、ＲＯＭ１２に格納された複写機の動作に必要なコンピュータプログラムを実行し、所定の機能を果たす。
スキャナ２３は制御部１１の制御により、図示しない原稿台に載置された原稿を読み取り、読み取った画像データを制御部１１へ出力する。
プリンタ２２は、電子写真方式の画像記録装置であって、スキャナ２３にて読み取った原稿の画像データを記録紙に記録する。
【００２４】
設定キー１４は、画像処理を行うための設定項目の設定状態を設定するための操作手段であり、複数のキーから成る。それぞれのキーは、複写濃度、記録紙の種類、複写倍率等の設定項目に対応している。設定キー１４が操作されることにより、操作されたキーに対応する信号が制御部１１へ出力される。
実行キー１５は、複写を実行させる指示を行う操作手段である。実行キー１５がユーザにより操作（押下）されると、スキャナ２３及びプリンタ２２による複写の実行を指示する信号が制御部１１へ出力される。
実行キーセンサ１６は、ユーザが実行キー１５に接触しているか否かを検知するセンサであり、接触していると検知した場合、接触していることを示す検知信号を制御部１１へ出力する。
【００２５】
識別情報受信部１７は、本複写機に近接するユーザが携帯しているＰＨＳ等の無線通信装置から送信される、その無線通信装置を特定する識別情報を受信し、受信した識別情報を制御部１１へ出力する。無線通信装置を特定する識別情報とは、例えば無線通信装置がＰＨＳである場合、そのＰＨＳに登録されている電話番号等である。本複写機においては、この識別情報に基づいて複写機を操作するユーザを識別する。このような識別情報受信部１７によって識別する方法は、例えば、特開２００１−２１９６２７号公報に開示されている。
【００２６】
ＲＯＭ１２は、制御部１１が各ハードウェアを制御するための各種コンピュータプログラムを記憶する。また、ＲＯＭ１２は、設定キー１４により設定される設定項目の設定状態を表示部１９に表示するためのデータ等を記憶する。さらに、ＲＯＭ１２は、音声データ記憶領域１２ａ及び初期設定状態記憶領域１２ｂを備えている。音声データ記憶領域１２ａには、設定項目の設定状態を音声出力部１８により音声にて報知するための音声データが記憶されている。初期設定状態記憶領域１２ｂには、設定項目の初期設定状態を示すデータが記憶されている。
【００２７】
第１タイマ２０及び第２タイマ２１は、制御部１１の指示に従って計時し、計時を開始してからの計測時間を示すデータを制御部１１へ出力する。第１タイマ２０は、設定項目を設定すべく設定キー１４が操作されてからの時間を計時する。第１タイマ２０の計測時間が所定時間Ｔ１を越えた場合、制御部１１は、設定状態を初期設定状態に戻す。また、第２タイマ２１は、ユーザが実行キー１５に接触しているのを検知することにより検知信号を出力している時間を計時する。
【００２８】
音声出力部１８は、ＲＯＭ１２の音声データ記憶領域１２ａに記憶されている音声データに基づいて設定状態を報知するための音声を出力する。
表示部１９は、液晶表示装置又はＣＲＴディスプレイ等の表示装置であり、複写機の動作状態又は設定状態等を表示する。
ＲＡＭ１３は、ＳＲＡＭ又はフラッシュメモリ等で構成され、ソフトウェアの実行時に発生する一時的なデータを記憶する。また、ＲＡＭ１３は、設定状態記憶領域１３ａ及びユーザ記憶領域１３ｂを備えている。設定状態記憶領域１３ａには、電源投入直後は、初期設定状態記憶領域１２ｂに記憶されている初期設定状態を示すデータが記憶され、その後、設定項目を設定すべく設定キー１４が操作されるのに応じて設定状態を示すデータが変更される。ユーザ記憶領域１３ｂには、識別情報受信部１７が受信した識別情報が記憶される。
【００２９】
次に、このような複写機の制御部１１による複写の処理手順を、図２及び図３に示すフローチャートに基づいて説明する。
まず、複写機の電源が投入されると、制御部１１は、設定状態記憶領域１３ａの記憶内容を消去し（ステップＳ２１）、初期設定を行うべく、初期設定状態記憶領域１２ｂに記憶されている初期設定状態を読み出して設定状態記憶領域１３ａに設定状態として記憶する（ステップＳ２２）。そして、設定状態記憶領域１３ａに記憶した設定状態を表示部１９に表示する（ステップＳ２３）。
そして、制御部１１は、設定キー１４又は実行キー１５の操作が有ったか否かを判定し（ステップＳ２４）、操作が無いと判定した場合（ステップＳ２４：ＮＯ）、操作が有ったと判定するまで所定のタイミングで判定を繰り返す。
【００３０】
ステップＳ２４において、操作が有ったと判定した場合（ステップＳ２４：ＹＥＳ）、制御部１１は、操作されたのは設定キー１４であるか否かを判定する（ステップＳ２５）。
ステップＳ２５において、操作されたのは設定キー１４であると判定した場合（ステップＳ２５：ＹＥＳ）、制御部１１は、設定キー１４の操作によって設定された設定状態をＲＡＭ１３の設定状態記憶領域１３ａに記憶し（ステップＳ２６）、第１タイマ２０をリセットし、第１タイマ２０による計時を開始する（ステップＳ２７）。そして、制御部１１は、識別情報受信部１７によってユーザが携帯する無線通信装置から識別情報を受信してＲＡＭ１３のユーザ記憶領域１３ｂに記憶する（ステップＳ２８）。
ユーザが設定キー１４を操作することにより、以上の処理が繰り返し行われる。
【００３１】
一方、ステップＳ２５において、操作されたのは実行キー１５であると判定した場合（ステップＳ２５：ＮＯ）、制御部１１は、識別情報受信部１７によりユーザが携帯する無線通信装置から識別情報を受信し（ステップＳ３１）、受信した識別情報と、ＲＡＭ１３のユーザ記憶領域１３ｂに記憶されている識別情報とが一致するか否かを判定する（ステップＳ３２）。
【００３２】
ステップＳ３２において、識別情報が一致すると判定した場合（ステップＳ３２：ＹＥＳ）、ＲＡＭ１３の設定状態記憶領域１３ａに記憶されている設定状態は、ＲＯＭ１２の初期設定状態記憶領域１２ｂに記憶されている初期設定状態と一致するか否かを判定する（ステップＳ３３）。
一方、ステップＳ３２において、識別情報が一致しないと判定した場合（ステップＳ３２：ＮＯ）にも、ＲＡＭ１３の設定状態記憶領域１３ａに記憶されている設定状態は、ＲＯＭ１２の初期設定状態記憶領域１２ｂに記憶されている初期設定状態と一致するか否かを判定する（ステップＳ３４）。
【００３３】
ステップＳ３３において、設定状態と初期設定状態とが一致しないと判定した場合（ステップＳ３３：ＮＯ）、又は、ステップＳ３４において、設定状態と初期設定状態とが一致すると判定した場合（ステップＳ３４：ＹＥＳ）、制御部１１は複写を実行する（ステップＳ３５）。
これにより、識別情報が一致し、設定状態が初期設定状態とは異なる場合、又は、識別情報が一致せず、設定状態が初期設定状態である場合には、複写が実行される。
【００３４】
また、ステップＳ３３において、設定状態と初期設定状態とが一致すると判定した場合（ステップＳ３３：ＹＥＳ）、又は、ステップＳ３４において、設定状態と初期設定状態とが一致しないと判定した場合（ステップＳ３４：ＮＯ）、制御部１１は、ＲＡＭ１３の設定状態記憶領域１３ａに記憶されている設定状態に基づいて、音声データ記憶領域１２ａから音声データを読み出し、音声出力部１８により設定状態を報知する音声を出力する（ステップＳ３６）。
これにより、識別情報が一致し、設定状態が初期設定状態である場合には、初期設定となっている旨がユーザに対して音声により報知される。また、識別情報が一致せず、設定状態が初期設定状態とは異なる場合には、設定状態がユーザに対して音声により報知される。
なお、ステップＳ３６においては音声を出力するようにしたが、ブザー音等の適宜の警告音を出力することにより、ユーザに設定状態を報知するものであってもよい。
【００３５】
ステップＳ３５又はステップＳ３６の処理後、制御部１１は、ＲＡＭ１３の設定状態記憶領域１３ａに記憶されている設定状態が、ＲＯＭ１２の初期設定記憶領域１２ａに記憶されている初期設定状態と一致するか否かを判定する（ステップＳ３７）。
ステップＳ３７において、設定状態と初期設定状態とが一致すると判定した場合（ステップＳ３７：ＹＥＳ）、制御部１１は、ＲＡＭ１３のユーザ記憶領域１３ｂに記憶されている識別情報を消去する（ステップＳ３８）。
ステップＳ３７において、設定状態と初期設定状態とが一致しないと判定した場合（ステップＳ３７：ＮＯ）、制御部１１は、第１タイマ２０をリセットし、第１タイマ２０による計時を開始し（ステップＳ３９）、ステップＳ３１において受信した識別情報を、ＲＡＭ１３のユーザ記憶領域１３ｂに記憶する（ステップＳ４０）。
【００３６】
これにより、ステップＳ３６における音声による報知を受けたユーザが、報知された設定状態で複写を行う場合、その設定状態に関わらず、再度実行キー１５を操作することにより、不要な音声による報知を受けることなく複写を行うことができる。また、同一ユーザが同一設定状態において連続して複写を行う場合にも、その設定状態に関わらず、再度実行キー１５を操作することにより、不要な音声による報知を受けることなく複写を行うことができる。
そして、ステップＳ３８又はステップＳ３９の処理後、制御部１１はステップＳ２４に処理を戻し、キー（設定キー１４又は実行キー１５）の操作に応じて上述した処理を行う。
【００３７】
次に、本発明に係る複写機の制御部１１による設定項目の設定状態を初期設定状態に戻す処理手順を、図４に示すフローチャートに基づいて説明する。
所定のタイミングにおいて、制御部１１は、第１タイマ２０の計測時間が所定時間Ｔ１以上であるか否かを判定し（ステップＳ５１）、計測時間が所定時間Ｔ１未満であると判定した場合（ステップＳ５１：ＮＯ）、処理を終了する。
【００３８】
ステップＳ５１において、計測時間が所定時間Ｔ１以上であると判定した場合（ステップＳ５１：ＹＥＳ）、制御部１１は、設定状態を初期設定状態とすべく、ＲＯＭ１２の初期設定状態記憶領域１２ｂに記憶された初期設定状態を読み出して設定状態記憶領域１３ａに設定状態として記憶する（ステップＳ５２）。そして、制御部１１は、第１タイマ２０をリセットし（ステップＳ５３）、処理を終了する。
これらの処理により、あるユーザにより各設定項目が初期設定状態とは異なる設定状態に設定されてから所定時間Ｔ１以上経過した場合等には、初期設定状態に自動的に戻るので、次のユーザが誤った設定状態のまま複写を行うのを防ぐことができる。
【００３９】
次に、本発明に係る複写機の制御部１１による、実行キーセンサ１６の検知信号に基づく設定状態の報知の処理手順を、図５に示すフローチャートに基づいて説明する。
所定のタイミングにおいて、制御部１１は、ユーザにより接触されていることを検知することによる実行キーセンサ１６から検知信号の出力が有るか否かを判定し（ステップＳ６１）、検知信号の出力は無いと判定した場合（ステップＳ６１：ＮＯ）、処理を終了する。
ステップＳ６１において、実行キーセンサ１６から検知信号の出力が有ると判定した場合（ステップＳ６１：ＹＥＳ）、制御部１１は、第２タイマ２１をリセットし、第２タイマ２１による計時を開始し（ステップＳ６２）、再び実行キーセンサ１６から検知信号の出力が有るか否かを判定する（ステップＳ６３）。
【００４０】
ステップＳ６３において、実行キーセンサ１６から検知信号の出力が無いと判定した場合（ステップＳ６３：ＮＯ）、制御部１１は、第２タイマ２１をリセットし（ステップＳ６４）、処理を終了する。
ステップＳ６３において、実行キーセンサ１６から検知信号の出力が有ると判定した場合（ステップＳ６３：ＹＥＳ）、制御部１１は、第２タイマ２１の計測時間が所定時間Ｔ２以上であるか否かを判定する（ステップＳ６５）。
ステップＳ６５において、計測時間が所定時間Ｔ２未満であると判定した場合（ステップＳ６５：ＮＯ）、制御部１１はステップＳ６３に処理を戻す。
【００４１】
ステップＳ６５において、計測時間が所定時間Ｔ２以上であると判定した場合（ステップＳ６５：ＹＥＳ）、制御部１１は、ＲＡＭ１３の設定状態記憶領域１３ａに記憶されている設定状態に基づいて、音声データ記憶領域１２ａから音声データを読み出し、音声出力部１８により設定状態を報知する音声を出力する（ステップＳ６６）。そして、制御部１１は、ＲＡＭ１３の設定状態記憶領域１３ａに記憶されている設定状態が、ＲＯＭ１２の初期設定状態記憶領域１２ｂに記憶されている初期設定状態と一致するか否かを判定する（ステップＳ６７）。
ステップＳ６７において、設定状態と初期設定状態とが一致すると判定した場合（ステップＳ６７：ＹＥＳ）、制御部１１は、ＲＡＭ１３のユーザ記憶領域１３ｂに記憶されている識別情報を消去する（ステップＳ６８）。
【００４２】
ステップＳ６７において、設定状態と初期設定状態とが一致しないと判定した場合（ステップＳ６７：ＮＯ）、制御部１１は、第１タイマ２０をリセットし、第１タイマ２０による計時を開始する（ステップＳ６９）。そして、制御部１１は、識別情報受信部１７によってユーザが携帯する無線通信装置から識別情報を受信してＲＡＭ１３のユーザ記憶領域１３ｂに記憶し（ステップＳ７０）、処理を終了する。
これにより、ユーザが設定状態を確認すべく、所定時間Ｔ２以上の間、実行キー１５に接触した場合、設定状態を音声により報知することができる。
【００４３】
実施の形態２
図６は本発明の実施の形態２に係る画像処理装置としての複写機の要部構成を示すブロック図である。
実施の形態１においては、識別情報受信部１７を備え、ユーザが所持している無線装置から送信される識別信号を識別情報受信部１７が受信して、ユーザの識別を行う形態としたが、実施の形態２においては、人体検知センサ２４を備えることによりユーザを識別する形態とする。
【００４４】
図６に示すように、本発明の実施の形態２に係る複写機は、実施の形態１に係る複写機が識別情報受信部１７を備えている代わりに、人体検知センサ２４を備えている。
人体検知センサ２４は、本複写機から所定距離内にユーザが存在する場合に検知信号を制御部１１へ出力する。
また、実施の形態１の複写機と同様に、ＲＡＭ１３にユーザ記憶領域１３ｂを備えており、ユーザ記憶領域１３ｂには、人体検知センサ２４が出力する検知信号に基づき、ユーザの識別情報としての０又は１が記憶される。
複写機が備えるその他のハードウェアは実施の形態１の複写機と同様であり、図６においては、それぞれ実施の形態１と同一符号を付してある。
【００４５】
このような複写機は、以下に示す人体検知センサ２４を用いたユーザ識別の処理以外は、図２から図５に示した実施の形態１の複写機と同様の処理を行う。
本発明の実施の形態２に係る複写機の制御部１１によるユーザ識別の処理手順を、図７に示すフローチャートに基づいて説明する。
所定のタイミングで、制御部１１は、人体検知センサ２４から検知信号の出力が有るか否かを判定し（ステップＳ８１）、人体検知センサ２４から検知信号の出力が無いと判定した場合（ステップＳ８１：ＮＯ）、処理を終了し、所定のタイミングで本処理を開始する。
【００４６】
ステップＳ８１において、人体検知センサ２４から検知信号の出力が有ると判定した場合（ステップＳ８１：ＹＥＳ）、ＲＡＭ１３のユーザ記憶領域１３ｂに記憶されている識別情報が０であるか否かを判定する（ステップＳ８２）。ステップＳ８２において、識別情報が０であると判定した場合（ステップＳ８２：ＹＥＳ）、制御部１１は、検知しているユーザの識別情報を１とする（ステップＳ８３）。また、ステップＳ８２において、識別情報が１であると判定した場合（ステップＳ８２：ＮＯ）、制御部１１は、検知しているユーザの識別情報を０とする（ステップＳ８４）。
【００４７】
ステップＳ８３又はステップＳ８４の処理後、制御部１１は、再び人体検知センサ２４から検知信号の出力が有るか否かを判定し（ステップＳ８５）、検知信号の出力が有ると判定した場合（ステップＳ８５：ＹＥＳ）、所定のタイミングでステップＳ８５の判定を繰り返す。そして、ステップＳ８５において、人体検知センサ２４から検知信号の出力が無いと判定した場合（ステップＳ８５：ＮＯ）、制御部１１は処理を終了し、また所定のタイミングで本処理を繰り返し行う。
【００４８】
以上の処理によって、ユーザ記憶領域１３ｂに記憶されている０又は１の識別情報と、ステップＳ８３又はステップＳ８４において０又は１とした識別情報とを用いて、実施の形態１の図２及び図３に示した複写の処理、図５に示した実行キーセンサ１６の検知信号に基づく設定状態の報知の処理を行う。
すなわち、図２のステップＳ２８、及び、図５のステップＳ７０においては、上述したステップＳ８３又はステップＳ８４において０又は１とした識別情報を、ＲＡＭ１３のユーザ記憶領域１３ｂに記憶する。
また、図３のステップＳ３２においては、上述したステップＳ８３又はステップＳ８４において０又は１とした識別情報と、ＲＡＭ１３のユーザ記憶領域１３ｂに記憶されている識別情報（０又は１）とが一致するか否かを判定する。
さらに、図３のステップＳ４０においては、上段のステップＳ３２の判定に用いた、０又は１の識別情報をＲＡＭ１３のユーザ記憶領域１３ｂに記憶する。
【００４９】
なお、本実施の形態においては、人体検知センサ２４の検知可能な範囲外へユーザが瞬間的に移動するようなことが起こり得るので、さらにタイマを備えることにより、以下のように処理を行う構成としてもよい。すなわち、ステップＳ８５において人体検知センサ２４から検知信号の出力が無いと判定した場合（ステップＳ８５：ＮＯ）、タイマによる計時を開始し、再び人体検知センサ２４から検知信号の出力が有るか否かを判定し、出力が有ると判定した場合に、タイマの計測時間が予め設定される極短時間未満の場合には、ユーザが変わっていないとして、ステップＳ８３又はステップＳ８４にて０又は１とした識別情報を変更しないようにする。
【００５０】
また、実施の形態１及び２においては、実行キーセンサ１６は、実行キー１５にユーザが接触していること検知する形態としたが、実行キー１５に近接するユーザの存在を検知する形態であってもよい。
【００５１】
【発明の効果】
本発明によれば、設定項目の設定状態を設定すべく第１操作手段（設定キー）を操作した操作者と画像処理を実行させる指示を行うべく第２操作手段（実行キー）を操作した操作者とが同じであるか、及び、記憶した設定状態と前記初期設定状態とが同じであるかの判定結果に基づき、設定状態を報知する必要がある場合にのみ、設定状態を音声により報知することができる。
【００５２】
また、本発明によれば、前のユーザにより設定された設定状態のままで次のユーザが画像処理を実行しようとした場合、その設定状態を音声によって報知することにより、誤った設定状態で無駄に画像処理が行われることを未然に防止することが可能である。さらに、ユーザが設定項目の設定状態を設定してから所定時間が経過すると初期設定状態に戻るようになっている場合に、初期設定状態に戻っている旨を音声によって報知することにより、誤った設定状態において無駄に画像処理が行われることを未然に防止することができる。
【００５３】
また、本発明によれば、実行キー押下前に、ユーザが実行キーに近接する、又は実行キーに接触することにより、設定状態を音声によって報知することができるので、ユーザは設定状態を確認してから画像処理を実行することができる。
【００５４】
さらに、本発明によれば、自装置に近接するユーザの存在を検知することによって、ユーザの識別を行うことができるので、ユーザが自身を識別させるための情報を入力したり、識別させるためのものを携帯したりする必要が無い。さらに、ユーザが携帯する無線通信装置から送信される無線通信装置を特定する識別情報を受信することにより、その識別情報に基づいてユーザを識別するので、ユーザの識別を簡単にかつほぼ正確に行うことができる。
【図面の簡単な説明】
【図１】本発明に係る複写機の要部構成を示すブロック図である。
【図２】本発明に係る複写機の制御部による複写の処理手順を示すフローチャートである。
【図３】本発明に係る複写機の制御部による複写の処理手順を示すフローチャートである。
【図４】本発明に係る複写機の制御部による設定項目の設定状態を初期設定状態に戻す処理手順を示すフローチャートである。
【図５】本発明に係る複写機の制御部による、実行キーセンサの検知信号に基づく設定状態の報知の処理手順を示すフローチャートである。
【図６】本発明の実施の形態２に係る複写機の要部構成を示すブロック図である。
【図７】本発明の実施の形態２に係る複写機の制御部によるユーザ識別の処理手順を示すフローチャートである。
【符号の説明】
１１  制御部
１２  ＲＯＭ
１２ａ  音声データ記憶領域
１２ｂ  初期設定状態記憶領域
１３  ＲＡＭ
１３ａ  設定状態記憶領域
１３ｂ  ユーザ記憶領域
１４  設定キー
１５  実行キー
１６  実行キーセンサ
１７  識別情報受信部
１８  音声出力部
２０  第１タイマ
２１  第２タイマ
２４  人体検知センサ
【図１】
2004159104.tif 000003
【図２】
2004159104.tif 000004
【図３】
2004159104.tif 000005
【図４】
2004159104.tif 000006
【図５】
2004159104.tif 000007
【図６】
2004159104.tif 000008
【図７】
2004159104.tif 000009